(57)【要約】【課題】運動用衣服の伸縮性を高めながら、接合の強度の低下を抑制することが可能なテープを提供すること。【解決手段】テープ２１は、一対の生地１１，１２が互いに接する接合線ＪＬに沿って一対の生地１１，１２に貼り付けられることにより、一対の生地１１，１２を接合する帯状である。テープ２１は、所定の幅Ｗを有するとともに、テープ２１の幅方向における中心線ＣＬ１が、所定の曲線Ｃ１がテープ２１の長さ方向において繰り返し連続する形状を有する。【選択図】図５
2020105644.tif 000002
【特許請求の範囲】
【請求項１】
一対の生地が互いに接する接合線に沿って前記一対の生地に貼り付けられることにより、前記一対の生地を接合する帯状のテープであって、
所定の幅を有するとともに、
幅方向における中心線が、所定の曲線が長さ方向において繰り返し連続する形状を有する、テープ。
【請求項２】
請求項１に記載のテープであって、
前記曲線は、前記曲線の始点と前記曲線の終点とを結ぶ直線に対して、前記幅方向における両側のそれぞれに位置する部分を含む、テープ。
【請求項３】
請求項１又は請求項２に記載のテープであって、
前記曲線は、前記幅方向における一方に突出するように湾曲する部分と、前記幅方向における他方に突出するように湾曲する部分と、が前記長さ方向において連続する波型である、テープ。
【請求項４】
請求項１乃至請求項３のいずれか一項に記載のテープであって、
前記幅は、前記曲線の始点と前記曲線の終点とを結ぶ直線と、前記幅方向における中心線と、の間の距離の最大値の２倍の長さよりも長い、テープ。
【請求項５】
一対の生地と、
前記一対の生地が互いに接する接合線に沿って前記一対の生地に貼り付けられることにより、前記一対の生地を接合する帯状のテープと、
を備え、
前記テープは、
所定の幅を有するとともに、
幅方向における中心線が、所定の曲線が長さ方向において繰り返し連続する形状を有する、運動用衣服。
【請求項６】
請求項５に記載の運動用衣服であって、
前記テープは、第１テープと、第２テープと、を含み、
前記第１テープは、前記接合線に沿って前記一対の生地の表側の面に貼り付けられ、
前記第２テープは、前記接合線に沿って前記一対の生地の裏側の面に貼り付けられ、
前記第２テープは、前記第１テープよりも幅が狭く、且つ、前記曲線の長さ方向における長さが短い、運動用衣服。
【発明の詳細な説明】
【技術分野】
【０００１】
本発明は、テープ、及び、運動用衣服に関する。
【背景技術】
【０００２】
一対の生地が互いに接する接合線に沿って当該一対の生地に貼り付けられることにより、当該一対の生地を接合する帯状のテープが知られている。ところで、接合線が湾曲している場合がある。この場合、テープの幅方向における両端部のうちの、湾曲の内側の端部において、テープにたるみが生じやすいため、テープが一対の生地に密着する面積が小さくなりやすい。
【０００３】
この問題に対処するため、例えば、図１に表されるように、特許文献１に記載のテープ９０は、幅方向における端辺が凹部９１及び凸部９２を有するように、長さ方向に沿って幅が変化する。これによれば、接合線が湾曲している場合であっても、直線状のテープと比較して、テープにたるみが生じることを抑制できるため、テープが一対の生地に密着する面積を大きくすることができる。
【先行技術文献】
【特許文献】
【０００４】
【特許文献１】特開２０１５−４８５４８号公報
【発明の概要】
【発明が解決しようとする課題】
【０００５】
例えば、ウェットスーツ等の運動用衣服は、身体を円滑に動かせるようにするため、比較的高い伸縮性を有することが好適である。ところで、テープは、接着剤（例えば、ホットメルト接着剤）を硬化させることにより一対の生地に貼り付けられる。硬化した接着剤は、一対の生地よりも硬くなりやすい。
【０００６】
従って、運動用衣服のうちの、テープが貼り付けられた部分は、他の部分よりも伸縮性が低下しやすい。このため、テープの幅を狭くすることにより、運動用衣服のうちの、テープが貼り付けられた部分における伸縮性の低下を抑制することが好適であると考えられる。
【０００７】
ところで、図１に表されるように、特許文献１に記載のテープ９０のうちの、端辺が凹部９１を有する部分における幅Ｗ９１は、端辺が凸部９２を有する部分の幅Ｗ９２よりも狭い。従って、テープ９０のうちの、端辺が凹部９１を有する部分における接合の強度は、テープ９０のうちの、端辺が凸部９２を有する部分における接合の強度よりも低い。このため、テープ９０の幅を狭くすると、テープ９０のうちの、端辺が凹部９１を有する部分において、接合の強度が過度に低下してしまう、という課題があった。
【０００８】
本発明の目的の一つは、運動用衣服の伸縮性を高めながら、接合の強度の低下を抑制することである。
【課題を解決するための手段】
【０００９】
一つの側面では、テープは、一対の生地が互いに接する接合線に沿って上記一対の生地に貼り付けられることにより、上記一対の生地を接合する帯状である。
【００１０】
更に、このテープは、所定の幅を有するとともに、幅方向における中心線が、所定の曲線が長さ方向において繰り返し連続する形状を有する。
【００１１】
他の一つの側面では、運動用衣服は、
一対の生地と、
上記一対の生地が互いに接する接合線に沿って上記一対の生地に貼り付けられることにより、上記一対の生地を接合する帯状のテープと、
を備える。
上記テープは、所定の幅を有するとともに、幅方向における中心線が、所定の曲線が長さ方向において繰り返し連続する形状を有する。
【発明の効果】
【００１２】
運動用衣服の伸縮性を高めながら、接合の強度の低下を抑制することができる。
【図面の簡単な説明】
【００１３】
【図１】関連技術のテープの説明図である。
【図２】第１実施形態の運動用衣服を表す図である。
【図３】第１実施形態の運動用衣服における一対の生地の接合部の断面を表す図である。
【図４】第１実施形態の運動用衣服における一対の生地の接合部のテープを表す図である。
【図５】図４のテープの説明図である。
【図６】第１実施形態の変形例のテープの曲線を表す図である。
【図７】第２実施形態の運動用衣服における一対の生地の接合部の断面を表す図である。
【図８】第２実施形態のテープの説明図である。
【発明を実施するための形態】
【００１４】
以下、本発明の、テープ、及び、運動用衣服に関する各実施形態について図１乃至図８を参照しながら説明する。
【００１５】
＜第１実施形態＞
（概要）
第１実施形態のテープは、一対の生地が互いに接する接合線に沿って当該一対の生地に貼り付けられることにより、当該一対の生地を接合する帯状のテープである。
テープは、所定の幅を有するとともに、幅方向における中心線が、所定の曲線が長さ方向において繰り返し連続する形状を有する。
【００１６】
これによれば、テープの幅方向における端辺は、所定の曲線が長さ方向において繰り返し連続する形状を有する。これにより、接合線が湾曲している場合であっても、直線状のテープと比較して、テープにたるみが生じることを抑制できるため、テープが一対の生地に密着する面積を大きくすることができる。
【００１７】
更に、テープが所定の幅を有するので、テープの幅を狭くした場合であっても、接合の強度が過度に低下する部分が生じることを抑制できる。換言すると、運動用衣服の伸縮性を高めながら、接合の強度の低下を抑制できる。
次に、第１実施形態の、テープ、及び、運動用衣服について、図２乃至図６を参照しながら詳細に説明する。
【００１８】
（構成）
図２に表されるように、運動用衣服１は、複数の生地１１〜１５と、複数のテープ２１〜２４と、を備える。本例では、運動用衣服１は、ウェットスーツである。本例では、運動用衣服１は、上半身のみを覆う型である。なお、運動用衣服１は、上半身に加えて下半身も覆う型であってもよい。また、運動用衣服１は、ドライスーツ、又は、セミドライスーツであってもよい。また、運動用衣服１は、サーフィン等のマリンスポーツ以外のスポーツに用いられる衣服であってもよい。
【００１９】
複数の生地１１〜１５のそれぞれは、ゴムからなる基体と、基体の両面を被覆する布と、を含む。例えば、基体は、スキンと呼ばれるゴムである。例えば、布は、ジャージと呼ばれる布である。
本例では、基体は、合成ゴム（例えば、クロロプレン）が主成分である材料からなる。本例では、基体は、クロロプレンスポンジゴムからなる。なお、基体は、天然ゴムが主成分である材料からなっていてもよい。また、基体は、ゴム以外の材料であって、ゴムと同等の、又は、ゴムよりも高い伸縮性を有する材料からなっていてもよい。
【００２０】
複数の生地１１〜１５のそれぞれは、基体と、基体の両面のうちの、一方のみを被覆する布と、を含んでいてもよい。また、複数の生地１１〜１５のそれぞれは、基体を含み、且つ、基体を被覆する布を含まなくてもよい。
本例では、複数の生地１１〜１５のそれぞれは、裁断されることにより形成される。
【００２１】
複数の生地１１〜１５のそれぞれは、端面が他の生地１１〜１５の端面に接する状態にて、当該他の生地１１〜１５と接合される。一対の生地１１，１２の接合部の断面を表す図３に表されるように、例えば、一対の生地１１，１２は、生地１１の端面１１ａと、生地１２の端面１２ａと、が互いに接する状態にて互いに接合される。
【００２２】
本例では、一対の生地１１，１２は、生地１１の端面１１ａと、生地１２の端面１２ａと、のうちの、少なくとも一方に接着剤が塗布された状態にて、生地１１の端面１１ａと、生地１２の端面１２ａと、が互いに当接させられることにより、接着剤を介して互いに接する。
【００２３】
一対の生地１１，１４、一対の生地１１，１５、一対の生地１２，１４、一対の生地１２，１５、一対の生地１２，１３、一対の生地１３，１４、及び、一対の生地１３，１５も、一対の生地１１，１２と同様に、当該一対の生地がそれぞれ有する一対の端面が互いに接する状態にて互いに接合される。
【００２４】
以下、テープ２１について説明するが、テープ２１以外のテープ２２〜２４も、テープ２１と同様に説明される。
一対の生地１１，１２の接合部のテープ２１を表す図４に表されるように、テープ２１は、帯状である。テープ２１の説明図である図５に表されるように、テープ２１は、所定の幅Ｗを有する。
【００２５】
図５においては、ｘ軸、及び、ｘ軸に直交するｙ軸を有する右手系の直交座標系を用いてテープ２１を説明する。テープ２１は、テープ２１の幅方向（本例では、ｙ軸方向）における中心線ＣＬ１が、所定の曲線Ｃ１がテープ２１の長さ方向（本例では、ｘ軸方向）において繰り返し連続する形状を有する。
【００２６】
曲線Ｃ１は、曲線Ｃ１の始点Ｐ１と曲線Ｃ１の終点Ｐ２とを結ぶ直線Ｌ１に対して、テープ２１の幅方向における両側のそれぞれに位置する部分（本例では、ｙ軸の負方向側の部分Ａ１と、ｙ軸の正方向側の部分Ａ２と、）を含む。
【００２７】
更に、曲線Ｃ１は、テープ２１の幅方向における一方（本例では、ｙ軸の負方向）に突出するように湾曲する部分Ａ１と、テープ２１の幅方向における他方（本例では、ｙ軸の正方向）に突出するように湾曲する部分Ａ２と、がテープ２１の長さ方向において連続する波型である。
【００２８】
テープ２１の幅Ｗは、曲線Ｃ１の始点Ｐ１と曲線Ｃ１の終点Ｐ２とを結ぶ直線Ｌ１と、テープ２１の幅方向における中心線ＣＬ１と、の間の距離の最大値（換言すると、中心変位距離）Ｄ１の２倍の長さよりも長い。
【００２９】
本例では、テープ２１の幅Ｗは、１０ｍｍであり、曲線Ｃ１の始点Ｐ１と曲線Ｃ１の終点Ｐ２との間の長さ（換言すると、周期長）Ｄ２は、１４ｍｍであり、且つ、中心変位距離Ｄ１は、１．５ｍｍである。
【００３０】
周期長Ｄ２の幅Ｗに対する比が、０．８よりも小さい場合、運動用衣服１の伸縮性が過度に低下する虞がある。また、周期長Ｄ２の幅Ｗに対する比が、１．８よりも大きい場合、一対の生地１１，１２が互いに接する接合線ＪＬが湾曲している場合に、テープ２１にたるみが生じやすくなる虞がある。
【００３１】
従って、周期長Ｄ２の幅Ｗに対する比は、０．８乃至１．８の値を有することが好適である。本例では、周期長Ｄ２の幅Ｗに対する比は、１．４である。
【００３２】
中心変位距離Ｄ１の幅Ｗに対する比が、０．０５よりも小さい場合、一対の生地１１，１２が互いに接する接合線ＪＬが湾曲している場合に、テープ２１にたるみが生じやすくなる虞がある。また、中心変位距離Ｄ１の幅Ｗに対する比が、０．２５よりも大きい場合、運動用衣服１の伸縮性が過度に低下する虞がある。
【００３３】
従って、中心変位距離Ｄ１の幅Ｗに対する比は、０．０５乃至０．２５の値を有することが好適である。本例では、中心変位距離Ｄ１の幅Ｗに対する比は、０．１５である。
【００３４】
テープ２１は、切断装置（例えば、刃物、又は、レーザー等）によって切断されることにより形成されてもよい。また、テープ２１は、抜き型を用いて形成されてもよい。
【００３５】
図３及び図５に表されるように、テープ２１は、一対の生地１１，１２が互いに接する接合線ＪＬに沿って、一対の生地１１，１２に貼り付けられることにより、一対の生地１１，１２を接合する。本例では、接合線ＪＬは、ｘ軸方向にて延在する直線状である。なお、接合線ＪＬは、曲線であってもよい。例えば、接合線ＪＬは、中心線ＣＬ１と一致するように、曲線Ｃ１がｘ軸方向において繰り返し連続する形状を有していてもよい。また、接合線ＪＬは、湾曲していてもよい。
【００３６】
本例では、図５に表されるように、テープ２１は、曲線Ｃ１の始点Ｐ１と曲線Ｃ１の終点Ｐ２とを結ぶ直線Ｌ１と、一対の生地１１，１２が互いに接する接合線ＪＬと、が一致するように、一対の生地１１，１２に貼り付けられる。
【００３７】
図３に表されるように、テープ２１は、所定の厚さを有するとともに、積層された、基材層２１１、及び、接着層２１２を備える。
基材層２１１は、合成樹脂（例えば、ポリウレタン等）が主成分である材料からなる。なお、基材層２１１は、合成樹脂以外の材料であって、合成樹脂と同等の、又は、合成樹脂よりも高い伸縮性を有する材料からなっていてもよい。
接着層２１２は、加熱されることにより溶融し、その後に冷却されることにより硬化することによって、基材層２１１と他の物体とを接着する、ホットメルト接着剤を含む。
【００３８】
テープ２１は、一対の生地１１，１２に押圧された状態にて、所定の時間に亘って加熱されることにより、一対の生地１１，１２に貼り付けられる。
【００３９】
なお、接着層２１２は、ホットメルト接着剤に代えて、又は、ホットメルト接着剤に加えて、ホットメルト接着剤以外の接着剤を含んでいてもよい。
【００４０】
以上、説明したように、第１実施形態のテープ２１は、一対の生地１１，１２が互いに接する接合線ＪＬに沿って一対の生地１１，１２に貼り付けられることにより、一対の生地１１，１２を接合する帯状である。テープ２１は、所定の幅Ｗを有する。テープ２１は、テープ２１の幅方向における中心線ＣＬ１が、所定の曲線Ｃ１がテープ２１の長さ方向において繰り返し連続する形状を有する。
【００４１】
これによれば、テープ２１の幅方向における端辺は、所定の曲線Ｃ１が長さ方向において繰り返し連続する形状を有する。これにより、接合線ＪＬが湾曲している場合であっても、直線状のテープと比較して、テープ２１にたるみが生じることを抑制できるため、テープ２１が一対の生地１１，１２に密着する面積を大きくすることができる。
【００４２】
更に、テープ２１が所定の幅Ｗを有するので、テープ２１の幅Ｗを狭くした場合であっても、接合の強度が過度に低下する部分が生じることを抑制できる。換言すると、運動用衣服１の伸縮性を高めながら、接合の強度の低下を抑制できる。
【００４３】
更に、第１実施形態のテープ２１において、曲線Ｃ１は、曲線Ｃ１の始点Ｐ１と曲線Ｃ１の終点Ｐ２とを結ぶ直線Ｌ１に対して、テープ２１の幅方向における両側のそれぞれに位置する部分Ａ１，Ａ２を含む。
【００４４】
運動用衣服１の伸縮性は、テープに近づくほど低下しやすい。従って、テープの中心線が、曲線の始点及び終点を結ぶ直線に対して、幅方向における一方の側のみに位置する場合、テープが一対の生地に貼り付けられたときに、テープの中心線が当該一方の側の生地上に位置する領域が連続しやすい。この結果、運動用衣服１において伸縮性が他の領域よりも低下する領域が生じやすい。
【００４５】
これに対し、テープ２１によれば、テープ２１が一対の生地１１，１２に貼り付けられた場合において、テープ２１の中心線ＣＬ１は、テープ２１の長さ方向において、一対の生地１１，１２上に交互に位置する可能性を高めることができる。換言すると、テープ２１が一対の生地１１，１２に貼り付けられた場合において、テープ２１の中心線ＣＬ１が一方の側の生地上に位置する領域が連続することを抑制できる。従って、運動用衣服１において伸縮性が他の領域よりも低下する領域が生じることを抑制できる。
【００４６】
更に、第１実施形態のテープ２１において、曲線Ｃ１は、テープ２１の幅方向における一方に突出するように湾曲する部分Ａ１と、テープ２１の幅方向における他方に突出するように湾曲する部分Ａ２と、がテープ２１の長さ方向において連続する波型である。
【００４７】
これによれば、テープ２１が剥がれることを抑制できる。
【００４８】
更に、第１実施形態のテープ２１において、テープ２１の幅Ｗは、曲線Ｃ１の始点Ｐ１と曲線Ｃ１の終点Ｐ２とを結ぶ直線Ｌ１と、テープ２１の幅方向における中心線ＣＬ１と、の間の距離の最大値Ｄ１の２倍の長さよりも長い。
【００４９】
これによれば、テープ２１が接合線ＪＬを確実に被覆できる。
【００５０】
ところで、本例では、図６の（Ａ）に表されるように、曲線Ｃ１は、テープ２１の幅方向における一方に突出するように湾曲する部分と、テープ２１の幅方向における他方に突出するように湾曲する部分と、がテープ２１の長さ方向において連続する波型である。なお、曲線Ｃ１は、波型と異なる形状を有していてもよい。例えば、曲線Ｃ１は、図６の（Ｂ）〜（Ｆ）のそれぞれに表されるような形状を有していてもよい。
【００５１】
また、本例では、一対の生地１１，１２の表側の面のみに、テープが貼り付けられる。なお、一対の生地１１，１２の裏側の面のみに、テープが貼り付けられてもよい。また、一対の生地１１，１２の表側及び裏側の両方の面に、テープが貼り付けられてもよい。
【００５２】
＜第２実施形態＞
次に、第２実施形態の、テープ、及び、運動用衣服について説明する。第２実施形態の、テープ、及び、運動用衣服は、第１実施形態の、テープ、及び、運動用衣服に対して、一対の生地の表側及び裏側の両方の面にテープが貼り付けられる点において相違している。以下、相違点を中心として説明する。なお、第２実施形態の説明において、第１実施形態にて使用した符号と同じ符号を付したものは、同一又は略同様のものである。
【００５３】
図７に表されるように、第２実施形態の運動用衣服１は、第１テープ２１と、第２テープ３１と、を備える。第１テープ２１は、接合線ＪＬに沿って一対の生地１１，１２の表側（換言すると、運動用衣服１の外側）の面に貼り付けられる。第２テープ３１は、接合線ＪＬに沿って一対の生地１１，１２の裏側（換言すると、運動用衣服１の内側、又は、身体に接する側）の面に貼り付けられる。
【００５４】
第１テープ２１は、第１実施形態のテープ２１と同じ構成を有する。第２テープ３１は、幅Ｗ、周期長Ｄ２、及び、中心変位距離Ｄ１が異なる点を除いて、第１テープ２１と同じ構成を有する。従って、第２テープ３１は、第１テープ２１と同様に、積層された、基材層３１１、及び、接着層３１２を備える。
【００５５】
図５、図７、及び、図８に表されるように、第２テープ３１は、第１テープ２１よりも幅Ｗが狭く、且つ、曲線Ｃ１の、テープ２１，３１の長さ方向における長さが短い。
図５に表されるように、本例では、第１テープ２１の幅Ｗは、１０ｍｍであり、第１テープ２１の周期長Ｄ２は、１４ｍｍであり、且つ、第１テープ２１の中心変位距離Ｄ１は、１．５ｍｍである。
【００５６】
図８に表されるように、本例では、第２テープ３１の幅Ｗは、６ｍｍであり、第２テープ３１の周期長Ｄ２は、７ｍｍであり、且つ、第２テープ３１の中心変位距離Ｄ１は、０．７５ｍｍである。
【００５７】
なお、運動用衣服１が有する接合線ＪＬの一部のみにおいて、一対の生地の裏側の面にテープが貼り付けられていてもよい。また、一対の生地１１，１２以外の一対の生地により構成される接合線ＪＬにおいて、一対の生地の裏側の面にテープが貼り付けられていてもよい。
【００５８】
以上、説明したように、第２実施形態の運動用衣服１によれば、第１実施形態の運動用衣服１と同様の作用及び効果が奏される。
更に、第２実施形態の運動用衣服１は、第１テープ２１と、第２テープ３１と、を備える。第１テープ２１は、接合線ＪＬに沿って一対の生地１１，１２の表側の面に貼り付けられる。第２テープ３１は、接合線ＪＬに沿って一対の生地１１，１２の裏側の面に貼り付けられる。第２テープ３１は、第１テープ２１よりも幅Ｗが狭く、且つ、曲線Ｃ１の、テープ２１，３１の長さ方向における長さが短い。
【００５９】
接合の強度を高めるために、一対の生地１１，１２の表側及び裏側の両方の面にテープが貼り付けられることがある。ところで、一対の生地１１，１２の裏側の面は、身体に接する。このため、一対の生地１１，１２の裏側の面における伸縮性が低くなるほど、ユーザは、伸縮性の低下を感じやすい。
これに対し、運動用衣服１によれば、一対の生地１１，１２の裏側の面における伸縮性の低下を抑制できるので、ユーザが伸縮性の低下を感じることを抑制しながら、接合の強度を高めることができる。
【００６０】
なお、本発明は、上述した実施形態に限定されない。例えば、上述した実施形態に、本発明の趣旨を逸脱しない範囲内において当業者が理解し得る様々な変更が加えられてよい。
例えば、一対の生地は、テープが貼り付けられることにより接合されているが、テープが貼り付けられることに加えて、縫合（例えば、掬い縫いにより縫合）されていてもよい。
【符号の説明】
【００６１】
１      運動用衣服
１１〜１５  生地
１１ａ，１２ａ  端面
２１〜２４，３１  テープ
２１１，３１１  基材層
２１２，３１２  接着層
ＣＬ１  中心線
Ｄ１    中心変位距離
Ｄ２    周期長
ＪＬ    接合線
Ｐ１    始点
Ｐ２    終点
Ｗ      幅
９０    テープ
Ｗ９１，Ｗ９２    幅
９１    凹部
９２    凸部
【図１】
2020105644.tif 000003
【図２】
2020105644.tif 000004
【図３】
2020105644.tif 000005
【図４】
2020105644.tif 000006
【図５】
2020105644.tif 000007
【図６】
2020105644.tif 000008
【図７】
2020105644.tif 000009
【図８】
2020105644.tif 000010
【手続補正書】
【提出日】令和1年6月8日(2019.6.8)
【手続補正１】
【補正対象書類名】特許請求の範囲
【補正対象項目名】全文
【補正方法】変更
【補正の内容】
【特許請求の範囲】
【請求項１】
一対の生地が互いに接する接合線に沿って前記一対の生地に貼り付けられることにより、前記一対の生地を接合する帯状のテープであって、
所定の幅を有するとともに、
幅方向における中心線が、前記一対の生地に沿った面内にて、所定の曲線が長さ方向において繰り返し連続する形状を有する、テープ。
【請求項２】
請求項１に記載のテープであって、
前記曲線は、前記曲線の始点と前記曲線の終点とを結ぶ直線に対して、前記幅方向における両側のそれぞれに位置する部分を含む、テープ。
【請求項３】
請求項１又は請求項２に記載のテープであって、
前記曲線は、前記幅方向における一方に突出するように湾曲する部分と、前記幅方向における他方に突出するように湾曲する部分と、が前記長さ方向において連続する波型である、テープ。
【請求項４】
請求項１乃至請求項３のいずれか一項に記載のテープであって、
前記幅は、前記曲線の始点と前記曲線の終点とを結ぶ直線と、前記幅方向における中心線と、の間の距離の最大値の２倍の長さよりも長い、テープ。
【請求項５】
一対の生地と、
前記一対の生地が互いに接する接合線に沿って前記一対の生地に貼り付けられることにより、前記一対の生地を接合する帯状のテープと、
を備え、
前記テープは、
所定の幅を有するとともに、
幅方向における中心線が、前記一対の生地に沿った面内にて、所定の曲線が長さ方向において繰り返し連続する形状を有する、運動用衣服。
【請求項６】
請求項５に記載の運動用衣服であって、
前記テープは、第１テープと、第２テープと、を含み、
前記第１テープは、前記接合線に沿って前記一対の生地の表側の面に貼り付けられ、
前記第２テープは、前記接合線に沿って前記一対の生地の裏側の面に貼り付けられ、
前記第２テープは、前記第１テープよりも幅が狭く、且つ、前記曲線の長さ方向における長さが短い、運動用衣服。
【手続補正書】
【提出日】令和1年9月14日(2019.9.14)
【手続補正１】
【補正対象書類名】特許請求の範囲
【補正対象項目名】全文
【補正方法】変更
【補正の内容】
【特許請求の範囲】
【請求項１】
一対の生地と、
前記一対の生地が互いに接する接合線に沿って前記一対の生地に貼り付けられることにより、前記一対の生地を接合する帯状のテープと、
を備え、
前記テープは、
所定の幅を有するとともに、
幅方向における中心線が、前記一対の生地に沿った面内にて、所定の曲線が長さ方向において繰り返し連続する形状を有する、運動用衣服。
【請求項２】
請求項１に記載の運動用衣服であって、
前記曲線は、前記曲線の始点と前記曲線の終点とを結ぶ直線に対して、前記幅方向における両側のそれぞれに位置する部分を含む、運動用衣服。
【請求項３】
請求項１又は請求項２に記載の運動用衣服であって、
前記曲線は、前記幅方向における一方に突出するように湾曲する部分と、前記幅方向における他方に突出するように湾曲する部分と、が前記長さ方向において連続する波型である、運動用衣服。
【請求項４】
請求項１乃至請求項３のいずれか一項に記載の運動用衣服であって、
前記幅は、前記曲線の始点と前記曲線の終点とを結ぶ直線と、前記幅方向における中心線と、の間の距離の最大値の２倍の長さよりも長い、運動用衣服。
【請求項５】
請求項１乃至請求項４のいずれか一項に記載の運動用衣服であって、
前記テープは、第１テープと、第２テープと、を含み、
前記第１テープは、前記接合線に沿って前記一対の生地の表側の面に貼り付けられ、
前記第２テープは、前記接合線に沿って前記一対の生地の裏側の面に貼り付けられ、
前記第２テープは、前記第１テープよりも幅が狭く、且つ、前記曲線の長さ方向における長さが短い、運動用衣服。